(57)【要約】【課題】ブザーを備え、当該ブザーの誤作動を抑制したバックルを提供する。【解決手段】バックルは、筒状をなす雌部材２に雄部材１が脱離可能に挿着される。雄部材１は、ブザー音を発するブザー本体３１と、ブザー本体３１を操作する操作部３２と、雄部材１が雌部材２に挿着された状態で雌部材２の筒部２１に収納される被収納部１７と、を有する。バックルは、操作部３２が被収納部１７に配置されている。【選択図】図２
2013075062.tif 000002
【特許請求の範囲】
【請求項１】
筒状をなす雌部材に雄部材が脱離可能に挿着されるバックルであって、
前記雄部材は、
ブザー音を発するブザー本体と、
前記ブザー本体を操作する操作部と、
前記雄部材が前記雌部材に挿着された状態で前記雌部材の内部である収納部に収納される被収納部と、を有し、
前記操作部が前記被収納部に配置されている
ことを特徴とするバックル。
【請求項２】
請求項１に記載のバックルであって、
前記被収納部の少なくとも一部が前記収納部から露出した状態であって、前記雄部材が前記雌部材に仮止めされた状態である第１係止状態と、
前記被収納部の全てが前記収納部に収納された状態であって、前記雄部材が前記雌部材に本止めされた状態である第２係止状態と、を有し、
前記操作部が、前記第１係止状態では前記収納部から露出し、且つ前記第２係止状態では前記収納部に収納される
ことを特徴とするバックル。
【請求項３】
請求項１又は２に記載のバックルであって、
前記雄部材は、係合部を有し、
前記雌部材は、前記雄部材が前記雌部材に挿着された状態で前記係合部と係合して前記雄部材が前記雌部材から脱離することを係止する被係合部を有し、
前記係合部における係合の解除操作方向と、前記操作部の操作方向とが互いに異なる
ことを特徴とするバックル。
【請求項４】
請求項１〜３のいずれか一項に記載のバックルであって、
前記雄部材は、
前記雄部材が前記雌部材に挿着された状態で前記雌部材外に配置される雄側基部と、
前記雄側基部に突設されて前記雄部材が前記雌部材に挿着された状態では前記収納部に収納される互いに離れた一対の脚部と、を有し、
前記ブザー本体は、
前記一対の脚部の間に配置されている
ことを特徴とするバックル。
【請求項５】
請求項４に記載のバックルであって、
前記ブザー本体は、前記雄側基部に連結されている
ことを特徴とするバックル。
【発明の詳細な説明】
【技術分野】
【０００１】
本発明は、雄部材が雌部材に着脱可能なバックルに関する。
【背景技術】
【０００２】
従来、ブザー音等を発するブザーを備えた各種の防犯機器が提案されている。特許文献１に記載の防犯機器には、腕時計式の防犯機器が開示されており、時計の機能を備えるバックルにブザーの操作ボタンが突設されている。そして、バックルに突設された操作ボタンが押されることでバックルからブザー音が発せられる。
【先行技術文献】
【特許文献】
【０００３】
【特許文献１】特開平１１−１６０５６号公報
【発明の概要】
【発明が解決しようとする課題】
【０００４】
しかしながら、上記特許文献１に記載のバックルでは、ブザー音を発するための操作ボタンがバックルから突出する構造であるため、利用者が意図しない外部からの力によって操作ボタンが押されやすく、利用者の意図とは異なるタイミングでブザー音の発生するおそれがある。ここで、報知機能や警報機能が求められるブザー音とは、通常、利用者以外の他者がブザー音を認識できる程度に大きな音であるから、こうした機能が必要とされないときにブザー音が発せられることは避けたい要望がある。
【０００５】
本発明は、こうした実情に鑑みてなされたものであり、その目的は、ブザーを備え、当該ブザーの誤作動を抑制することの可能なバックルを提供することにある。
【課題を解決するための手段】
【０００６】
以下、上記目的を達成するための手段及びその作用効果について説明する。
本発明の一態様では、筒状をなす雌部材に雄部材が脱離可能に挿着されるバックルにおいて、前記雄部材は、ブザー音を発するブザー本体と、前記ブザー本体を操作する操作部と、前記雄部材が前記雌部材に挿着された状態で前記雌部材の内部である収納部に収納される被収納部と、を有し、前記操作部が前記被収納部に配置されている。
【０００７】
上記態様によれば、雄部材と雌部材とから構成されるバックルにブザー本体が設けられ、雌部材に雄部材が挿着された状態では、ブザー本体の操作部が雌部材の内部である収容部に収納される。このため、雄部材が雌部材に挿着された状態では、ブザー本体の操作部が露出することがないので、ブザーの誤作動を抑制することができる。また、鞄やバックパック等の装身具や衣類等に用いられるバックルにブザーが設けられているため、防犯ブザーを別途携帯する場合と比べて、防犯ブザーの携帯性を高めることができる。
【０００８】
本発明の一態様では、前記被収納部の少なくとも一部が前記収納部から露出した状態であって、前記雄部材が前記雌部材に仮止めされた状態である第１係止状態と、前記被収納部の全てが前記収納部に収納された状態であって、前記雄部材が前記雌部材に本止めされた状態である第２係止状態と、を有し、前記操作部が、前記第１係止状態では前記収納部から露出し、且つ前記第２係止状態では前記収納部に収納される。
【０００９】
上記態様によれば、仮止めされた状態である第１係止状態と本止めされた状態である第２係止状態とをバックルが有し、第１係止状態にて操作部が操作可能であり、第２係止状態にて操作部が操作不能になる。そのため、雄部材と雌部材とが係合した状態で、操作部によるブザー本体の操作が可能となる。よって、第２係止状態では誤作動が防止され、且つ第１係止状態では必要なときにブザー音を発することが可能となる。
【００１０】
本発明の一態様では、前記雄部材は、係合部を有し、前記雌部材は、前記雄部材が前記雌部材に挿着された状態で前記係合部と係合して前記雄部材が前記雌部材から脱離することを係止する被係合部を有し、前記係合部における係合の解除操作方向と、前記操作部の操作方向とが互いに異なる。
【００１１】
上記態様によれば、係合部の解除操作方向と操作部の操作方向とが互いに異なるため、雄部材と雌部材との係合が解除される際に、誤ってブザーの操作部が操作されることを抑制することが可能にもなる。
【００１２】
本発明の一態様では、前記雄部材は、前記雄部材が前記雌部材に挿着された状態で前記雌部材外に配置される雄側基部と、前記雄側基部に突設されて前記雄部材が前記雌部材に挿着された状態で前記収納部に収納される互いに離れた一対の脚部と、を有し、前記ブザー本体は、前記一対の脚部の間に配置されている。
【００１３】
上記態様によれば、雄部材が有する一対の脚部の間にブザー本体が配置されるため、ブザー本体の配置される空間を別途設ける場合と比べて、バックルのサイズが大きくなることを抑えることができる。
【００１４】
本発明の一態様では、前記ブザー本体が、前記雄側基部に連結されている。
上記態様によれば、ブザー本体が雄側基部に連結されるため、ブザー本体が脚部等に連結される態様と比べて、ブザー本体の配置の安定性を高めることが可能である。
【発明の効果】
【００１５】
本発明によれば、バックルに設けられたブザーの誤作動を抑制できる。
【図面の簡単な説明】
【００１６】
【図１】本発明のバックルにおける一実施形態の平面構造を示す図であって、雄部材と雌部材との非係合状態を示す平面図。
【図２】同実施形態における雄部材と雌部材との第１係止状態を示す平面図。
【図３】同実施形態における雄部材と雌部材との第２係止状態を示す平面図。
【図４】変形例におけるバックルの平面構造を示す図であって、スライドカバーの作動態様を示す平面図。
【発明を実施するための形態】
【００１７】
以下、本発明を具体化した一実施形態について図１〜図３を参照して説明する。
図１に示されるように、バックルを構成する雄部材１は、平面視方向から見てＥ字形状をなし、直方体状をなす雄側基部１１には、ベルト等の帯体が挿通される雄側スリット１１ａが上下方向に沿って形成されている。
【００１８】
雄側基部１１における上下方向の両端部には、膨大した先端部１２を有して互いに対向する上下一対の脚部１３が、雄側スリット１１ａに対して直交する方向である左右方向に延設されている。これら上下一対の脚部１３の各々には、該脚部１３における雄側基部１１側に、上下方向の肉厚が先端部１２よりも小さいヒンジ部１５が形成されている。また、一対の先端部１２の各々は、他方の先端部１２とは反対側に突出する係合部としての係合突起１６を有している。そして、一対の先端部１２が互いに近づくように一対の脚部１３が左右方向の外力を受けると、一対の先端部１２が互いに近づくように、一対の脚部１３が撓曲する。なお、図１の紙面に対して直交する方向である厚さ方向では、上下一対の脚部１３における厚さは、該脚部１３が延びる方向の全体にわたり略均一であって、且つ雄側基部１１の厚さよりも小さい。
【００１９】
雄側基部１１において上下一対のヒンジ部１５の間には、上下方向に延びる直方体形状の被収納部１７が、上下一対の脚部１３と同じく、雄側基部１１の右側に突設されている。また、厚さ方向における被収納部１７の厚さは、上下一対のヒンジ部１５の厚さよりも小さく、該被収納部１７には、上下方向に延びる嵌入凹部１８が厚さ方向に凹設されている。この被収納部１７の外部には、脚部１３の延設方向に延びる直方体状のガイド部１４が突設され、また被収納部１７の内部には、上下方向に延びる防犯ブザー３が嵌入されている。防犯ブザー３は雄側基部１１に連結されている。
【００２０】
防犯ブザー３は、ブザー音を発する直方体形状のブザー本体３１と該ブザー本体３１を操作する操作部３２とから構成された１ユニットであって、ブザー本体３１の表面から操作部３２が紙面の手前側に突出している。なお、操作部３２における紙面手前側の面である頂面と、上下一対のヒンジ部１５における紙面手前側の面とが同一平面上になるように、操作部３２はブザー本体３１から突出している。この操作部３２は、押ボタンスイッチによって構成され、操作部３２の押ボタンスイッチが一度押圧されると、ブザー本体３１がブザー音を発し、もう一度押圧されると、ブザー本体３１がブザー音を停止する。このような構成であれば、雄部材１の脚部１３が撓む方向（解除操作方向）と、操作部３２が操作される方向（操作方向）とが互いに異なるため、脚部１３を撓ませる操作が指などにより行われる際に、操作部３２が誤って操作されることを抑えることが可能である。なお、図１に示されるように、先端部１２の係合突起１６と防犯ブザー３とは、左右方向において距離Ｗだけ離れている。
【００２１】
一方、バックルを構成する雌部材２の雌側基部２２には、ベルト等の帯体が挿通される雌側スリット２８が上下方向に沿って形成されている。雌側基部２２には、上下両側が括れた矩形筒状の筒部２１が、雌側スリット２８に対して直交する方向に延設されている。筒部２１の先端側には、上述した上下一対の脚部１３、ガイド部１４、及び防犯ブザー３の挿脱される挿脱孔２３が、雌側スリット２８に対して直交する方向に沿って形成されている。このような挿脱孔２３が筒部２１に形成されることによって、該筒部２１は、上記上下一対の脚部１３、ガイド部１４、及び防犯ブザー３を収納する収納部として機能する。
【００２２】
上記筒部２１の内部には、ガイド部１４の延設方向に沿ってガイド部１４を誘導する上下一対の隔壁２４が形成されている。また、筒部２１において括れた部分には、挿脱孔２３と連通する被係合部としての上下一対の被係合孔２５が互いに対向して形成されている。また、筒部２１における挿脱孔２３の内壁２６のうちで被係合孔２５の先端側には、挿脱孔２３の内側に向けて突出する上下一対の被係合突起２７が形成されている。なお、図１に示されるように、被係合突起２７と筒部２１の先端とは、左右方向において上記距離Ｗだけ離れている。
【００２３】
次に、上記構成からなるバックルの作用について説明する。
まず、図１に示されるように、雄部材１と雌部材２とが非係合状態であるとき、防犯ブザー３の操作部３２への操作が利用者によって可能となっている。この状態から、上下一対の先端部１２が雌部材２の筒部２１に挿入されると、先端部１２が内壁２６に沿って移動しながら、該先端部１２が互いに近づくようにヒンジ部１５が撓む。次いで、係合突起１６が被係合突起２７に到達すると、図２に示されるように、先端部１２が互いに離れるようにヒンジ部１５が撓みを戻し、これにより上下一対の脚部１３の引き抜きが被係合突起２７により係止される。以下では、このように係合突起１６の引き抜きが被係合突起２７に係止された状態を、雄部材１が雌部材２に仮止めされた状態である第１係止状態という。
【００２４】
上述した第１係止状態では、雄部材１と雌部材２とが係合しているものの、防犯ブザー３の操作部３２が依然として露出しているため、操作部３２への操作がこれもまた利用者により可能となる。そして、操作部３２の押ボタンスイッチが一度押圧されると、ブザー本体３１がブザー音を発し、操作部３２の押ボタンスイッチがもう一度押圧されると、ブザー本体３１がブザー音を停止する。
【００２５】
上記第１係止状態から上下一対の脚部１３が筒部２１内にさらに挿入されると、図３に示されるように、ヒンジ部１５及び被収納部１７の全てが筒部２１内に収納される。この際、係合突起１６が被係合孔２５に到達すると、先端部１２が互いに離れるようにヒンジ部１５が撓みを戻し、先端部１２が被係合孔２５から突出するようになる。これにより、上下一対の脚部１３の引き抜きが被係合孔２５によって係止される。以下では、このように脚部１３の引き抜きが被係合孔２５に係止された状態を、雄部材１が雌部材２に本止めされた状態である第２係止状態という。
【００２６】
上述した第２係止状態では、雄部材１に内蔵された防犯ブザー３の全体が、雌部材２の筒部２１に覆われている。このため、防犯ブザー３の操作部３２が誤って操作されることはなく、利用者の意図とは異なるタイミングでブザー音が発せられるおそれもない。また、防犯ブザー３が雌部材２の筒部２１に覆われているため、外部からの汚染に対して防犯ブザー３が保護されている。
【００２７】
そして、上記第２係止状態から防犯ブザー３が使用される際には、まず、上下一対の脚部１３の先端部１２が互いに近づくように押圧される。これにより、先端部１２の係合突起１６と被係合孔２５との係止が解除され、先端部１２が雌部材２の挿脱孔２３から引き抜き可能となる。次いで、先端部１２の係合突起１６が被係合突起２７に到達するまで、筒部２１から脚部１３が引き抜かれる。これにより、第２係止状態の防犯ブザー３が第１係止状態に移行して防犯ブザー３の操作部３２が利用者により使用可能となる。そして、操作部３２の押ボタンスイッチが一度押圧されると、ブザー本体３１がブザー音を発し、ブザー音の鳴動が不要になった際には、操作部３２の押ボタンスイッチが再度押圧されることで、ブザー音の鳴動が停止される。これにより、雄部材１と雌部材２との係合が保たれた状態で防犯ブザー３の使用が可能となる。
【００２８】
以上、説明した実施形態によれば、以下の効果を奏することができる。
（１）雄部材１と雌部材２とから構成されるバックルに防犯ブザー３が設けられ、係合状態では防犯ブザー３の操作部３２が雌部材２の収納部に収納されている。このため、雄部材１と雌部材２とが係合した係合状態では、防犯ブザー３が露出することがないため、防犯ブザー３が不用意に操作されることがなく、誤作動を抑制できる。また、鞄やバックパック等の装身具や衣類等に用いられるバックルに防犯ブザー３が設けられるため、必要なときには防犯ブザー３を容易に操作できる。
【００２９】
（２）雄部材１と雌部材２とが第１係止状態と第２係止状態とを有し、第２係止状態では、操作部３２が操作不能となる一方、第１係止状態では、操作部３２が操作可能になる。そのため、雄部材１と雌部材２との係合が保たれた状態で、操作部３２を操作できる。
【００３０】
（３）係合突起１６の解除操作方向と操作部３２の操作方向とが互いに異なるため、雄部材１と雌部材２との係合が解除される際に、防犯ブザー３の操作部３２が誤って操作されることを抑制できる。
【００３１】
（４）雄部材１が有する一対の脚部１３の間にブザー本体３１が配置されるため、ブザー本体３１の配置される空間を別途設ける場合と比べて、バックルのサイズが大きくなることを抑えることができる。
【００３２】
（５）ブザー本体３１が雄側基部１１に連結されるため、ブザー本体３１が脚部等に連結される態様と比べて、ブザー本体３１の配置の安定性を高めることができる。
なお、上記実施形態は、これを適宜変更した以下の形態にて実施することができる。
【００３３】
・ガイド部１４は割愛されてもよい。この際、防犯ブザー３は、雄側基部１１から離れ、一対の脚部１３の少なくとも一方に連結される構成であってもよい。要は、雄部材１と雌部材２とが係合する状態で、防犯ブザー３の操作部３２が雌部材２の筒部２１で覆われ、且つ、雄部材１が雌部材２から引き抜かれることで、防犯ブザー３の操作部３２が雌部材２の筒部２１から露出する配置の態様であればよい。
【００３４】
・防犯ブザー３の雄側基部１１に対する取り付け態様は、ブザー本体３１の筐体と雄側基部１１とが一体的に樹脂成形される態様であってもよい。また、防犯ブザー３の雄側基部１１に対する取り付け態様は、ブザー本体３１の筐体が雄側基部１１に螺着される態様であってもよい。要は、雄部材１と雌部材２とが係合する状態で、防犯ブザー３の操作部３２が雌部材２の筒部２１で覆われ、且つ、雄部材１が雌部材２から引き抜かれることで、防犯ブザー３の操作部３２が雌部材２の筒部２１から露出する取り付けの態様であればよい。
【００３５】
・上記実施形態では、脚部１３の先端部１２の押圧方向と、操作部３２の操作方向とが互いに異なるが、脚部１３の先端部１２の押圧方向と、操作部３２の操作方向とが同じ方向であってもよい。
【００３６】
・上記実施形態では、操作部３２を押ボタンスイッチとしたが、スライドスイッチ等の他のスイッチを採用してもよい。
・上記実施形態では、脚部１３が挿脱される方向に、互いに異なる２つの被係合部が配置され、これにより雄部材１と雌部材２とが２段階に係合する。これに限らず、こうした２段階の係合は、サイドリリーススイッチと、上面を押圧することで係止が解除できるフロントリリーススイッチとの組み合わせにより実現することも可能である。
【００３７】
・上記実施形態のバックルは、雄部材１と雌部材２とが本止め状態である第２係止状態に加え、雄部材１と雌部材２とが仮止め状態である第２係止状態を有するが、第１係止状態が割愛された構成であってもよい。
【００３８】
・図４に示されるように、雌部材２の筒部２１のうち、雄部材１と雌部材２とが係合する状態で操作部３２と対向する部分にスライドカバー４０が設けられる構成であってもよい。
【００３９】
（６）上述した構成であれば、雄部材１と雌部材２との係合の状態が変更されることなく、スライドカバー４０がスライドされるだけで、操作部３２の操作が可能となる。
・また、雌部材２の筒部２１のうち、雄部材１と雌部材２とが係合する状態で操作部３２と対向する部分に、過度な力が加えられることで割れるカバーが設けられる構成であってもよい。
【００４０】
（７）上述した構成であれば、雄部材１と雌部材２との係合の状態が変更されることなく、カバーが過度な力で押されることで、操作部３２の操作が可能となる。
・上記実施形態の第２係止状態では、防犯ブザー３の全体が雌部材２の収納部内に収納されるが、これに限られず、要は、防犯ブザー３の操作部３２のみが収納部内に収納される構成であればよい。
【００４１】
・上記実施形態では、サイドリリースタイプのバックルに本発明を適用したが、フロントリリースタイプのバックルに本発明を適用してもよい。
【符号の説明】
【００４２】
１…雄部材、２…雌部材、３…防犯ブザー、１１…雄側基部、１１ａ…雄側スリット、１２…先端部、１３…脚部、１４…ガイド部、１５…ヒンジ部、１６…係合突起、１７…被収納部、１８…嵌入凹部、２１…筒部、２２…雌側基部、２３…挿脱孔、２４…隔壁、２５…被係合孔、２６…内壁、２７…被係合突起、２８…雌側スリット、３１…ブザー本体、３２…操作部、４０…スライドカバー。
【図１】
2013075062.tif 000003
【図２】
2013075062.tif 000004
【図３】
2013075062.tif 000005
【図４】
2013075062.tif 000006